(57)【特許請求の範囲】
【請求項１】
複数の被矯正歯の前面に取り付けられたブラケットと、ブラケット間をワイヤーで連結した歯列矯正装置において、
隣接する任意の２つの被矯正歯の一方のブラケットの他方のブラケットと対向する側面に固定装置により固定され、かつ、前記ワイヤーと滑合可能にする滑合部を有する磁石を有し、
他方の被矯正歯のもう一方の前記ブラケットと対向する側面に固定装置により固定され、
かつ、前記ワイヤーと滑合可能にする滑合部を有する磁石を有し、
前記両磁石は対向し、かつ、ワイヤーに滑合可能に配置されることを特徴とする歯列矯正装置。
【請求項２】
前記磁石は、前記隣接する任意の２つの被矯正歯間の歯列矯正用空きスペース内に収納される形状を有することを特徴とする請求項１に記載の歯列矯正装置。
【請求項３】
前記磁石は、口腔内での耐食性を有する防錆処理層を有することを特徴とする請求項１に記載の歯列矯正装置。
【請求項４】
前記磁石の対向する面は、前記ブラケット間を連結したワイヤー線に対して鉛直な面に対し、面対象に形成されることを特徴とする請求項１に記載の歯列矯正装置。
【請求項５】
前記磁石の対向は、両磁石間に働く磁気的吸引力または磁気的反発力を利用するように極性を設定することを特徴とする請求項１に記載の歯列矯正装置。
【請求項６】
前記磁石の滑合部は、磁石のワイヤー収納穴又はワイヤー収納溝であることを特徴とする請求項１に記載の歯列矯正装置。
【請求項７】
前記磁石の滑合部は、磁石のワイヤー収納穴又はワイヤー収納溝の内に、パイプを有することを特徴とする請求項１に記載の歯列矯正装置。
【請求項８】
前記固定装置は、前記磁石のワイヤーにより捲着可能な凸部と、前記ブラケットのワイヤーにより捲着可能部と、前記磁石の凸部と前記ブラケットのワイヤーの捲着可能部を捲着するワイヤーを有することを特徴とする請求項１に記載の歯列矯正装置。
【発明の詳細な説明】
【０００１】
【発明の属する技術分野】
本発明は、被矯正歯を磁気吸引力または磁気反発力を利用して矯正するための歯列矯正装置に関する。
【０００２】
【従来の技術】
従来、歯列矯正は複数の被矯正歯にブラケットとワイヤーを取付、ブラケット間にゴムを装着しその弾性力で矯正を行っていた。
この方式は、強制力は５０〜２００ｇと十分であったが、次の２つの問題があった。
なお下限値の５０ｇは歯が移動するのに必要な力であり、上限値２００ｇは
人体への悪影響をおよぼさない上限である。
（１）ゴムを手作業で引張力を調整するため、強制力がどれほど働いているかがわからない。そのため、矯正開始荷重が強すぎると患者に著しい不快感を与え、弱すぎると治療回数が多くなっていた。よって計画的治療は望めなかった。
（２）ゴム方式は、ゴム装着時  すなわち、矯正開始荷重が強く、徐々に力が減少する性質を持ち、矯正初期に患者に不快感を与えている。
【０００３】
それに対し、被矯正歯とブラケットの間に磁石を配置した、磁石式ブラケットが登場した。
この方式によりゴム特有の矯正初期の不快感は軽減された。しかしこの方式も２つの問題点をかかえる。
（１）歯の前面に取り付けられたブラケットが磁石分だけ大きくなり、患者に不快感を与えている。
（２）従来より広く使用されている、ブラケットとワイヤーの方式の製品をそのまま使用することができず、特別製の高価なものとなっいて、殆ど使用されていない。
【０００４】
更に、隣接する歯の隙間に、磁石を対向させ歯列を矯正する歯間磁石方式がある。この方式では歯列矯正装置である磁石を設置するスペース分は、隙間が開いてしまい、移動距離が限られるという問題点が存在した。
【０００５】
【発明が解決しようとする課題】
従って本発明の課題は、従来技術のかかる問題点を解決し、磁石式を利用し患者の矯正初期の不快感が無く、小型で、移動距離の制限のない歯列矯正装置の提供することにある。
【０００６】
本願発明は、上記課題を達成するために発明されたものである。
即ち、複数の被矯正歯の前面に取り付けられたブラケットと、ブラケット間をワイヤーで連結した歯列矯正装置において、隣接する任意の２つの被矯正歯の一方のブラケットの他方のブラケットと対向する側面に固定装置により固定され、かつ、前記ワイヤーと滑合可能にする滑合部を有する磁石を有し、他方の被矯正歯のもう一方の前記ブラケットと対向する側面に固定装置により固定され、かつ、前記ワイヤーと滑合可能にする滑合部を有する磁石を有し、前記両磁石は対向し、かつ、ワイヤーに滑合可能に配置されることを特徴とする歯列矯正装置である。
ここで滑合とは、二つの部材がすべり合うことである。滑合部とは、二つの部材、すな
わち、ワイヤーと磁石がすべり合うことを可能とする部分を意味する。
【０００７】
磁石を、隣接する任意の２つの被矯正歯の一方のブラケットの他方のブラケットと対向する側面に配置して、固定装置により固定し、かつ、磁石にワイヤーとの滑合部を設けることにより、隣接するブラケット付きの被矯正歯間の隙間に、磁石を配設することが可能となる。
また、固定装置による磁石のブラケットへの固定により、磁石のぐらつきによる、磁気吸引力、反発力の低下、力の方向の乱れを防ぐことができる。
更に、両磁石を対向させ、ワイヤーに滑合可能に設置されることにより、磁気吸引力もしくは反発力により、被矯正歯を移動可能にする。
よって、磁石を利用した方式で、かつ、ブラケットが歯の前面方向へ突き出すことも無く、歯の移動も、隣り合う被矯正歯がぴったりくっつかせることができ発明の課題を達成することができた。
また、本発明は、従来のブラケットとワイヤーの方式の製品をそのまま使用することができ、容易かつ安価に製造することができる。
【０００８】
【発明の実施の形態】
前記磁石は、前記隣接する任意の２つの被矯正歯間の歯列矯正用空きスペース内に収納される形状にすることを特徴とする歯列矯正装置である。
ここで、歯列矯正用空きスペースについて図１で説明する。被矯正歯Ｔ１について説明する。歯列矯正用空きスペースは、従来の歯列矯正装置であるブラケットＢ１、若しくは、ゴムＲ１と、被矯正歯Ｔ１で囲まれたＺ（ハッチ部）である。この歯列矯正用空きスペースＺ内に、磁石を配置すれば、磁石の吸引力、反発力により被矯正歯の隙間が無くなるまで確実に移動させることができる。なお、被矯正歯の前面方向へは、多少はみだしても、移動距離上は問題無い。
通常、歯列矯正用空きスペースの歯列方向の幅Ｗ１は、１〜３ｍｍ程度であり、歯列矯正用空きスペースの歯列方向の垂直方向への幅Ｗ２は、２〜４ｍｍ程度である。また、図示してない歯列矯正用空きスペースの高さ方向の幅は、３〜６ｍｍ程度で、このスペースに入る、磁石を利用できる。
また、歯列矯正上は、ゴムは無いほうが望ましい。ゴムは、歯の移動時にブレーキの役割を果たすためである。
【０００９】
また、前記磁石は、口腔内での耐食性を有する防錆処理層を有することを特徴とする歯列矯正装置である。
磁石に防錆処理を施すことにより、口腔内での耐食性を確保する。
磁石には、希土類焼結磁石、希土類プラマグ磁石等の永久磁石が使用される。防錆処理は、磁石表面をリン酸塩処理を実施後、Ｎｉメッキを施し、更にＣｒメッキを施してもよい。また上記Ｎｉ層Ｃｒ層等は、ＰＶＤ、ＣＶＤ、プラズマＣＶＤ等で実施してもよい。これらにより、十分な耐食性が得られている。また、エポキシ樹脂コーティングでも良い。被覆材は、Ｎｉメッキ、Ｃｒメッキに限らず、耐食性があり、希土類磁石にメッキ可能なものであればよい。例えば、金メッキ、銀メッキ等を施してもよい。
【００１０】
更に、前記磁石の対向する面は、前記ブラケット間を連結したワイヤー線に対して鉛直な面に対し、面対象に形成されることを特徴とする歯列矯正装置である。対向する磁石面を、上記の用に形成することにより、ワイヤー線に平行な、磁気吸引力もしくは、磁気反発力が働き、より良好な歯列矯正を行うことができる。
【００１１】
次に、前記磁石の対向は、両磁石間に働く磁気的吸引力または磁気的反発力を利用するように極性を設定することを特徴とする歯列矯正装置である。
磁極を変えて、磁気的吸引力または磁気的反発力を利用することにより、
例えば、１本の歯を大きく右に移動させたい時などは、右隣の歯には吸引力、左隣の歯には反発力が作用するように磁極を設定すれば、効率的に歯の移動を行える。
【００１２】
更に、前記磁石の滑合部は、磁石のワイヤー収納穴又はワイヤー収納溝で形成することもできる。
前記磁石の滑合部は、磁石のワイヤー収納穴又はワイヤー収納溝の内に、パイプを有することもできる。パイプを有することにより、ワイヤーと磁石表面の防錆処理層間の摩擦による防錆処理層の剥離を防止する効果がある。
【００１３】
【実施例】
［実施例１］
本発明の実施例１を図面に基づいて説明する。図２に本発明の正面図を、図３に平面図を示す。
被矯正歯Ｔ１と被矯正歯Ｔ２が隣接している。それぞれの被矯正歯には、公知技術であるブラケットＢ１、Ｂ２が取り付けられている。公知技術であるワイヤー９は、それぞれのブラケットの爪Ｂ１１、Ｂ２１の間に通されている。なお、ワイヤーは、同じく公知技術であるゴムＲ１，Ｒ２とブラケットＢ１，Ｂ２によって弾性的に支持されている。
磁石１１は、ブラケットＢ１に対し、ゴムＲ１を通じて固定されている。磁石１２は、ブラケットＢ２に対し、ゴムＲ２を通じて固定されている。
ブラケットＢ１と磁石１１は、図３に示すように、ブラケットＢ１の反対面Ｂ１３と、磁石突起部１１１を細径ワイヤー３にて、捲着することにより固定されている。
固定装置４は、ブラケットＢ１の反対面１３と、磁石突起部１１１と、両者を捲着した細径ワイヤー３からなる。ブラケットＢ２も同様の固定装置が施されている。
【００１４】
磁石１１、磁石１２は、図４に示すように、それぞれワイヤー収納穴に金属製のパイプ７を挿入した滑合部１１５、滑合部１２５を有している。本実施例では、射出成形により、希土類プラマグと金属パイプを一体成形した。
磁石１１、磁石１２は、あらかじめワイヤーＷに対し滑合部１１５、滑合部１２５に通された状態で配置される。
磁石１１と磁石１２は、磁極が対向した状態で配置される。
磁石１１、１２は、図１で定義した、歯列矯正用空きスペース内に収納される形状を有している。
【００１５】
本実施例での磁石形状は、ゴムとの当接面は平面に、被矯正歯との当接面は被矯正歯の外周に沿った形状に加工した。
なお、磁石１１とブラケットＢ１の固定を強固にするには図１のハッチ部Ｚのように、ゴムＲ１に沿った形状に加工することが望ましい。それにより、磁石１１とブラケットＢ１とが当接し、より強固に固定される。
本実施例では、磁石１１とブラケットＢ１の面Ｂ１２の間に接着剤塗布、充填し、接着を行っている。また、磁石１１と被矯正歯Ｔ１の間も接着剤塗布し、接着を行っている。磁石１２とブラケットＢ２間の接合も同様に行った。
磁石は、異方性希土類プラマグを使用した。防錆処理は、磁石表面をリン酸塩処理を実施後、Ｎｉメッキを施し、更にＣｒメッキを施した。
磁石１１、１２の対向する面は、ブラケットＢ１，Ｂ２間を連結したワイヤー線に対して鉛直な面に対し、面対称で、かつ、平行な平面として形成した。
磁石１１、１２の磁極は、Ｓ―Ｓ極、Ｎ−Ｓ極を実施した。
【００１６】
製造方法は、磁石１１、磁石１２は、あらかじめワイヤーＷを滑合部１１５、滑合部１２５に通した後に、ワイヤーＷを各ブラケットＢ１，Ｂ２に弾性的に支持する。その後、ブラケットＢ１，Ｂ２と磁石１１，１２を前記の位置関係に配設する。その後、ブラケットと磁石を接着剤で接着後、固定装置３にて固定する。なお、製造方法は、この方法に限られるものではない。
【００１７】
磁極をＮ―Ｓ極にした場合、ブラケットＢ１、ブラケットＢ２間のワイヤーＷの線方向に平行に、磁石１１、磁石１２へ磁気吸引力が働く。
その力は、磁石１１と固定装置３、及び接着剤で固定されているブラケットＢ１、ゴムＲ１と、ブラケットＢ１が取り付けられている被矯正歯Ｔ１を一体として移動させる。磁石１２も同様である。磁石を利用しているため、歯列矯正装置の矯正開始荷重が適切であるため、患者に不快感を与えなかった。
この際、磁石１１が滑合部１１５を有するため、ワイヤーＷ上を滑合状態を保ったまま移動できる。滑合部１１５は、パイプ７を有するため摺動性に優れる。
この滑合部１１５の存在により歯列矯正用空きスペースを利用して、磁力による歯列矯正を可能としている。
また、磁石１１が歯列矯正用空きスペース内に収納される形状を有しているため、ブラケットが従来より前面に突出することがなく小型の装置を提供でき、患者に不快感を与えず、かつ、歯の移動距離が制限されることも無い。
磁石の対向面１１３は、磁気吸引方向に、歯列矯正用空きスペースの境界になるようにしてある。このため、被矯正歯を接触するまで近づけることができる。
【００１８】
磁石は、防錆処理により、腐食されることなく、十分な耐食性を示した。
磁石１１、１２の対向する面は、ブラケットＢ１，Ｂ２間を連結したワイヤー線に対して鉛直な面に対し、面対称でかつ、平行な平面として形成したため、ワイヤーに平行方向な磁気吸引力が終始利用でき、スムーズな歯列矯正を実施できた。
Ｓ−Ｓ極では、反発力が働き、スムーズに、両矯正歯が離れる方向へ移動することができた。その他は、同様な機能、効果をえることができた。
【００１９】
［実施例２］
実施例２は、実施例１に比べ、従来歯列矯正装置のゴムを除いたものである。ゴムは、歯の矯正方向を隣接する２歯間に張られる最適なワイヤーの方向を保持するために必要である。しかし、磁石の吸引力に対してはブレーキ効果を持つので、本実施例では除いた。
また、磁石は、実施例１のごとく、被矯正歯に沿うように加工せず、簡便に作れる、直方体で作成した。それ以外は同じ構成とした。
これにより、磁石１１とブラケットＢ１は当接面Ｂ１２で密着でき、固定装置３により十分強固に固定できる。
また、ゴムが無いため、ブレーキ効果が無く、実施例１に比較し速い歯列矯正ができた。
【００２０】
【発明の効果】
本発明により、従来技術では解決しえなかった、磁石式を利用し患者の矯正初期の不快感が無く、小型で、移動距離の制限のないという３つの要求特性を全て満たす歯列矯正装置の提供することができた。
また、本発明は、従来のブラケットとワイヤーの方式の製品をそのまま使用すうることができ、容易かつ安価に製造することができる。
【図面の簡単な説明】
【図１】本発明の歯列矯正装置における歯列矯正用空きスペースの説明図
【図２】本発明の実施例１の正面図
【図３】本発明の実施例１の平面図
【図４】本発明の実施例に使用する磁石の説明図
【図５】本発明の実施例２の平面図
【符号の説明】
１  磁石、１１  磁石、１２  磁石、１１１  磁石突起部、１１３  対向面、
１１５  滑合部、３  細径ワイヤー、４  固定装置、パイプ  ７、Ｔ１  被矯正歯、Ｔ２  被矯正歯、Ｂ１  ブラケット、Ｂ２  ブラケット、Ｂ１１  爪、
Ｂ１２  当接面、Ｂ１３  反対面、Ｒ１  ゴム、Ｒ２  ゴム、Ｗ  ワイヤー
Ｗ１  歯列矯正用空きスペースの歯列方向の幅
Ｗ２  歯列矯正用空きスペースの歯列方向の垂直方向への幅
Ｚ    歯列矯正用空きスペース
【図１】
0003584808.tif 000002
【図２】
0003584808.tif 000003
【図３】
0003584808.tif 000004
【図４】
0003584808.tif 000005
【図５】
0003584808.tif 000006